(57)【要約】      （修正有）【課題】電源コードと照明器具用配電具との取付けを、簡単かつ確実に行うことができる照明器具用配電具を提供する。【解決手段】ジョイントボックスＡと照明器具取付用ソケットＢと両者を接続する通電コード４からなり、ジョイントボックスは配電台１および配電台カバー２とを備え、該カバーの係止片１７が配電台に設けた係支部１９に嵌合し配電台に装着され、前記配電台は２つの端子部と前記２つの端子部間に隔壁部と挟持板の回転を抑制する２つの回転抑制片を備え、前記各端子部は端子板と挟持板とねじ部材とを備え、さらに前記配電台は、前記ねじ部材を端子板より離脱させることなく、前記電源コードの芯線部を隔壁部と端子部間より前記端子板と前記挟持板間に挿入するための挿入スペースを備え、前記挿入スペースを形成するため隔壁部に薄肉上方部と誘導部を設けた。【選択図】図１
0003141338.tif 000002
【実用新案登録請求の範囲】
【請求項１】
２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
さらに、前記配電台は、前記ねじ部材を前記端子板より離脱させることなく、前記電源コードの前記芯線部を前記隔壁部と前記端子部間より前記端子板と前記挟持板間に挿入するための挿入スペースを備えていることを特徴とする照明器具用配電具。
【請求項２】
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものである請求項１に記載の照明器具用配電具。
【請求項３】
前記隔壁部は、前記挿入スペースを形成するための薄肉上方部と、該薄肉上方部の下部に設けられ、前記電源コードの前記芯線部を前記端子板上に導くための誘導部を有する請求項１または２記載の照明器具用配電具。
【請求項４】
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものである請求項１または２記載の照明器具用配電具。
【請求項５】
前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えている請求項１ないし４のいずれかに記載の照明器具用配電具。
【請求項６】
前記回転抑制片の高さは、前記端子板から前記挟持板を電源コードの芯線部がスムーズに入る間隔だけ離間させた場合の挟持板の位置と同じもしくは若干高いものである請求項５に記載の照明器具用配電具。
【請求項７】
前記配電台カバーは、該配電台カバーの下端部より下方に突出し、端部に鉤部を有する係止片を備え、前記配電台は、前記配電台カバーの前記配電台への被嵌時に前記配電台カバーの係止片を誘導するとともに押し広げる誘導部と、該誘導部を通過した係止片と嵌合する係支部を備え、前記配電台カバーは、前記配電台カバーの係止片と前記配電台の係支部との嵌合により前記配電台に装着されるものである請求項１ないし６のいずれかに記載の照明器具用配電具。
【請求項８】
前記配電台カバーは、上面中央部より上方に突出する照明器具用配電具吊下用の吊下部を備えている請求項１ないし７のいずれかに記載の照明器具用配電具。
【請求項９】
前記照明器具取付用ソケットは、前記配電台の前記各端子板と接続された２本の前記通電コードの端部を収納するハウジングと、該ハウジング内に収納され、２本の前記通電コードと電気的に接続されたソケット部とを備えるものである請求項１ないし８のいずれかに記載の照明器具用配電具。
【請求項１０】
２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
さらに、前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであることを特徴とする照明器具用配電具
【請求項１１】
２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
さらに、前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えていることを特徴とする照明器具用配電具。
【請求項１２】
２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
さらに、前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えていることを特徴とする照明器具用配電具。
【請求項１３】
２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えており、
さらに、前記配電台カバーは、該配電台カバーの下端部より下方に突出し、端部に鉤部を有する係止片を備え、前記配電台は、前記配電台カバーの前記配電台への被嵌時に前記配電台カバーの係止片を誘導するとともに押し広げる誘導部と、該誘導部を通過した係止片と嵌合する係支部を備え、前記配電台カバーは、前記配電台カバーの係止片と前記配電台の係支部との嵌合により前記と前記配電台に装着されるものであることを特徴とする照明器具用配電具。
【考案の詳細な説明】
【技術分野】
【０００１】
本考案は、電源ケーブルの電源コードを切断することなく、ジョイントボックスにより電源コードの途中から通電コードを電気的に接続し、ジョイントボックスと前記通電コードで接続した照明器具取付用ソケットを、一本の電源ケーブルに複数取り付けることができる照明器具用配電具に関するものである。
【背景技術】
【０００２】
農業用のハウス、工場、工事現場等において、多数の照明器具により広範囲に照明する必要がある場合、一本の電源ケーブルに多数のジョイントボックスを取付け、該ジョイントボックスにより電源ケーブルの電源コードと通電コードを電気的に分岐接続し、その分岐接続した通電コードに電球等の照明具を螺挿する照明器具取付用ソケットを接続していた。
しかし、電源コードを切断することなく、一本の電源ケーブルに多数のジョイントボックスを取付ける場合、電源ケーブルの電源コードの複数箇所の被覆を部分的に剥がし芯線を露出させ、その露出した芯線にジョイントボックスを次々に取り付け、さらに照明器具取付用ソケットを取り付けなければならず、取付け作業に大変な手数を要するものであった。
【０００３】
そこで従来より、電源ケーブルの電源コードを切断することなく電源コードに多数の照明器具を取付けることができる配電装置（特許文献１参照）が提案されている。
【０００４】
【特許文献１】特公昭６３−３８９２６公報。
【考案の開示】
【考案が解決しようとする課題】
【０００５】
特許文献１の配電装置には、基台とカバーより成り内部が中空で両端に電源コードの挿入口を有するジョイントボックスで、基台上面より突出する隔壁部にて内部を２室に区画し、各室には端子台が夫々形成され、この端子台には電源コードの芯線を挟み付ける端子板と座金が端子ねじにて取付けられ、また、カバーの略中央を通る吊下げ具の下端を隔壁部上面に設けたねじ孔に螺合し基台とカバーを接合するジョイントボックスであり、電源コードを切断することなく通電コードに電気接続ができ、電源コードへの結線ができる旨の開示がある。
【０００６】
しかし、端子板と座金との間に電源コードの芯線を挟み付ける場合、電源コードは端子台と隔壁部の間に挿入することができない構造であるため、端子台の隔壁部のない反対側の側部から迂回するように挿入しなければならない。そして、電源コードを端子台の外側に迂回させることなく取付けるには、端子台と隔壁部との間から挿入することができないので、端子ねじ及び座金を端子板から一旦取り外し、端子板の上に電源コードを載せ、再び端子板に端子ねじで座金を取付け、端子ねじを締め付け端子板と座金の間に電源コードの芯線を挟み付け固定しなければならない。また、芯線を端子台の外側から迂回して接続する場合、端子板の上に電源コードを載せ、再び端子板に端子ねじで座金を取付け、端子ねじを締め付ける際に座金が端子ねじと共に回転し、締め付けたとき端子板に対し座金がズレ前記芯線をしっかりと端子台に取り付けることができない問題がある。
さらに、基台とカバーを、カバーに設けた吊下げ具の雄ねじを、基台に立設した隔壁部に設けたねじ孔に螺合して基台とカバーを結合しなければならなかった。
したがって、電源コードに多数の配電装置を取付ける作業に手数を要し、また、確実に電源コードが端子台に接続されるよう注意を払わなければならないと言う問題点もあった。
【０００７】
本考案の目的は、上記の問題点に鑑みて考案されたもので、電源ケーブルの電源コードに多数の照明器具用配電具を取付ける際、照明器具用配電具の配電台に設けた隔壁部と前記配電台に設けた２つの端子部との間に電源コードを略直線上に挿入し前記端子部に接続可能とすると共に、挿入接続作業時に電源コードの芯線部を前記端子部の端子板と挟持板の間に誘導できるようにし、また、挟持板をねじ部材で締め付け端子板と挟持板の間に締め付ける際、挟持板の回転を防止し端子板に対し挟持板がズレないようにして、端子板と挟持板との間に確実に電源コードの芯線部を固定できるようにし、さらに、配電台への配電台カバーの取付けをワンタッチで行うことができ、電源ケーブルの電源コードに照明器具取付用ソケットを簡単かつ確実に取付けることができる照明器具用配電具を提供することを目的としている。
【課題を解決するための手段】
【０００８】
（１）２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
さらに、前記配電台は、前記ねじ部材を前記端子板より離脱させることなく、前記電源コードの前記芯線部を前記隔壁部と前記端子部間より前記端子板と前記挟持板間に挿入するための挿入スペースを備えていることを特徴とするものである。
【０００９】
（２）前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものである前記（１）記載の照明器具用配電具。
（３）前記隔壁部は、前記挿入スペースを形成するための薄肉上方部と、該薄肉上方部の下部に設けられ、前記電源コードの前記芯線部を前記端子板上に導くための誘導部を有する前記（１）または（２）に記載の照明器具用配電具。
（４）前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものである前記（１）または（２）に記載の照明器具用配電具。
【００１０】
（５）前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えている前記（１）ないし（４）のいずれかに記載の照明器具用配電具。
（６）前記回転抑制片の高さは、前記端子板から前記挟持板を電源コードの芯線部がスムーズに入る間隔だけ離間させた場合の挟持板の位置と同じもしくは若干高いものである前記（５）に記載の照明器具用配電具。
【００１１】
（７）前記配電台カバーは、該配電台カバーの下端部より下方に突出し、端部に鉤部を有する係止片を備え、前記配電台は、前記配電台カバーの前記配電台への被嵌時に前記配電台カバーの係止片を誘導するとともに押し広げる誘導部と、該誘導部を通過した係止片と嵌合する係支部を備え、前記配電台カバーは、前記配電台カバーの係止片と前記配電台の係支部との嵌合により前記配電台に装着されるものである前記（１）ないし（６）のいずれかに記載の照明器具用配電具。
（８）前記配電台カバーは、上面中央部より上方に突出する照明器具用配電具吊下用の吊下部を備えている前記（１）ないし（７）のいずれかに記載の照明器具用配電具。
（９）前記照明器具取付用ソケットは、前記配電台の前記各端子板と接続された２本の前記通電コードの端部を収納するハウジングと、該ハウジング内に収納され、２本の前記通電コードと電気的に接続されたソケット部とを備えるものである前記（１）ないし（８）のいずれかに記載の照明器具用配電具。
【００１２】
（１０）２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
さらに、前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであることを特徴とするものである。
【００１３】
（１１）２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
さらに、前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えていることを特徴とするものである。
【００１４】
（１２）２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
さらに、前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えていることを特徴とするものである。
【００１５】
（１３）２本の電源コードを有する電源ケーブルに電気的に接続されるジョイントボックスと、該ジョイントボックスと２本の通電コードにより接続された照明器具取付用ソケットとを備える照明器具用配電具であって、
前記ジョイントボックスは、ほぼ向かい合う位置に設けられた電源ケーブル入口部と電源ケーブル出口部とを有する配電台および配電台カバーとを備え、
前記配電台は、２つの端子部と、前記電源ケーブル入口部側から前記電源ケーブル出口部側に延び、かつ、前記２つの端子部間に位置する短絡防止用の隔壁部とを備え、
前記各端子部は、前記配電台に固定され、かつ前記通電コードと電気的に接続された端子板と、該端子板との間に前記電源コードの部分的に露出された芯線部を狭持する挟持板と、前記狭持板を貫通し前記端子板と螺合したねじ部材とを備え、
前記配電台は、前記ねじ部材を前記端子板より離脱させることなく、前記電源コードの前記芯線部を前記隔壁部と前記端子部間より前記端子板と前記挟持板間に挿入するための挿入スペースを備えており、
前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであり、
前記隔壁部は、前記挿入スペースを形成するための薄肉上方部と、該薄肉上方部の下部に設けられ、前記電源コードの前記芯線部を前記端子板上に導くための誘導部を有し、該誘導部は、前記薄肉上方部の下部から前記端子板方向に湾曲もしくは傾斜するものであり、
前記配電台は、前記各端子部付近かつ前記各端子部を介して前記隔壁部と向かい合う位置に設けられた所定の高さを備え、前記電源コードの前記芯線部を前記端子板と前記狭持板間への挿入作業時における前記挟持板の回転を抑制する２つの回転抑制片を備えており、
さらに、前記配電台カバーは、該配電台カバーの下端部より下方に突出し、端部に鉤部を有する係止片を備え、前記配電台は、前記配電台カバーの前記配電台への被嵌時に前記配電台カバーの係止片を誘導するとともに押し広げる誘導部と、該誘導部を通過した係止片と嵌合する係支部を備え、前記配電台カバーは、前記配電台カバーの係止片と前記配電台の係支部との嵌合により前記と前記配電台に装着されるものであることを特徴とするものである。
【考案の効果】
【００１６】
本考案の照明器具用配電具によれば、前記ジョイントボックスの配電台に、２つの端子部と前記２つの端子部間に位置する短絡防止用の隔壁部とを備え、前記端子部と隔壁部との間に、ねじ部材を端子板より離脱させることなく電源コードの芯線部を挿入するための挿入スペースを備えているので、前記電源コードを上方から挿入スペースに落とし込むようにして前記端子部に芯線部を持って行くことができ、前記電源コードと照明器具用配電具との取付け作業が容易にできる。
【００１７】
本考案の照明器具用配電具によれば、前記隔壁部は、前記電源ケーブル入口部の中心部と前記電源ケーブル出口部の中心部間をほぼ直線状に所定の厚さにて伸びるものであり、前記配電台は、前記各電源コードを低湾曲状態にて狭持するものであるから、前記電源コードを過度に屈曲させることなく直線に近い状態でジョイントボックスに取付けができ取付け作業が楽に行え、また、電源コードに力が加わった場合にもジョイントボックスの端子部に必要以上の力が加わることがない。
また、前記隔壁部は、前記挿入スペースを形成する薄肉上方部と、該薄肉上方部の下部に前記電源コードの芯線部を前記端子板上に導くための誘導部が設けられているので、前記電源コードの芯線部を前記端子部の端子板上に容易に持って行くことができ、さらに、前記誘導部は、前記薄肉上方部の下部から前記端子板方向に湾曲もしくは傾斜させているので、前記電源コードの芯線部を薄肉上方部及び誘導部に接触するように移動させると、端子板と予め該端子板から所定の間隔だけ離間させておいた挟持板との間に自動的に挿入され、端子部への電源コードの取付けが極めて簡単にできる。
【００１８】
本考案の照明器具用配電具によれば、前記配電台に所定の高さを備えた２つの回転抑制片を備えているので、前記電源コードの芯線部を前記端子板と前記狭持板間へ挿入し該挟持板により前記芯線部を締め付ける作業をする際、前記挟持板の回転を阻止することができる。それ故、端子板に電源コードの芯線部を載せ挟持板をねじ部材により下方に移動し締め付ける際、前記挟持板は回転することなく下降し電源コードを締め付けることができ、前記挟持板を手で押さえて回転を阻止しなくても、前記端子板と前記挟持板との位置関係にズレを生じることがなく確実に電源コードの芯線を挟み付け端子部に接続することができる。
また、前記回転抑制片の高さは、前記端子板から前記挟持板を電源コードの芯線部がスムーズに入る間隔だけ離間させた場合の挟持板の位置と同じもしくは若干高くしているので、電源コードの取付け作業において、電源コードの芯線部が挿入し易いように間隔を広くしても、前記挟持板が回転したり、前記挟持板が回転し回転抑制片の上に乗り上げることがなく、端子部への電源コードの芯線部の接続が作業がねじ部材を締め付けるだけで簡単にできる。
【００１９】
本考案の照明器具用配電具によれば、前記配電台カバーは鉤部を有する係止片を備え、前記配電台は前記係止片を誘導する誘導部と係止片を嵌合する係支部を備えているので、前記配電台に配電台カバーを被嵌する際、両者を合体させる方向に力を加えると、前記係止片が誘導部により押し広げられ外側に湾曲して誘導部を乗り越え、その後係止片の弾力によるスナップ動作で、前記係支部に係止片の鉤部が嵌り、前記配電台に配電台カバーをワンタッチで確実に被嵌することができる。
また、前記配電台カバーは吊下部を備えているので、農業用ハウス、工場の天井等に照明器具用配電具を吊り下げることができる。
【００２０】
本考案の照明器具用配電具によれば、前記照明器具取付用ソケットは、前記配電台の前記各端子板と接続された２本の前記通電コードが、ハウジング内のソケット部に電気的に接続したもので、構造が簡単である。また、前記ジョイントボックスを電源コードに取付けることにより、前記照明器具取付用ソケットを備えた照明器具用配電具を電源コードに接続でき、また、通電コードの長さを変えることにより、前記照明器具取付用ソケットを吊り下げる位置の調節が容易にできる。
【００２１】
本考案の照明器具用配電具によれば、電源ケーブルの電源コードに照明器具用配電具の取付け作業をする場合、配電台の端子部と隔壁部との間の挿入スペースから電源コードをほぼ直線状のまま挿入し、隔壁部の薄肉上方部及び誘導部に沿って移動し端子板と挟持板の間に導き、電源コードの芯線部を端子板上に簡単に載せることができる。載せられた電源コードはねじ部材を回動し挟持板を下降させると、挟持板は回転抑制片により回転することなく芯線部を端子板との間に締め付けることができ、端子板に対し挟持板がズレることがない。端子部への芯線部の取付けが完了した後、配電台に配電台カバーを被せ両者を強く押し付けることにより配電台と配電台カバーを一体化することができる。それ故、確実に電源ケーブルと複数の照明器具用配電具を電気的に接続することができ、電源ケーブルに多数の照明器具用配電具を取付ける作業が極めて効率よく行える。
【考案を実施するための最良の形態】
【００２２】
以下本考案の照明器具用配電具の実施の形態の一例について図面を参照して説明する。
図１は、本考案の照明器具用配電具の正面図、図２は、同じく左側面図、図３は、同じく使用状態を示す説明図、図４は、同じくＸ−Ｘ断面図、図５は、本考案の照明器具用配電具の配電台カバーの拡大断面図、図６は、電源コードを取付ける前の配電台の拡大断面図、図７は、電源コードを誘導し取付ける状態の配電台の拡大断面図、図８は、電源コードを取付けた状態の配電台の拡大断面図、図９は、本考案の照明器具用配電具の配電台の拡大斜視図、図１０は、同じく配電台の拡大平面図である。
【００２３】
本考案の照明器具用配電具は、図１〜図４に示すように、配電台１と配電台カバー２からなり、２本の電源コード３ａを有する電源ケーブル３に電気的に接続されるジョイントボックスＡと、電球Ｃを螺合する照明器具取付用ソケットＢと、前記照明器具用配電具Ａと前記照明器具取付用ソケットＢを繋ぐ通電コード４から構成されている。
そして、図５〜図１０に示すように、前記ジョイントボックスＡの配電台１は円盤状であって、配電台１の両側のほぼ向かい合う位置に該配電台１の両端から突出して受部５が設けられ、また、前記配電台カバー２には前記配電台１に蓋をするように被せることができる椀状で、その両端の前記受部５に合致する位置に庇部６が突出して設けられ、前記配電台１に配電台カバー２を被嵌したとき、ジョイントボックスＡの両端に電源ケーブル入口部７と電源ケーブル出口部８が形成されるようになっている。
【００２４】
前記配電台１には、電源ケーブル３の電源コード３ａを接続する２つの端子部９が所定の間隔を置いて並設され、前記２つの端子部間には、前記電源ケーブル入口部７の中心部と前記電源ケーブル出口部８の中心部間をほぼ直線状であって所定の厚さにて伸びる隔壁部１０が配電台１の上面に突出して設けられ、ジョイントボックスＡ内を２つに区画し、２本の電源コード３ａの部分的に露出された芯線部３ｂが短絡しないようになっている。また、前記配電台１には前記電源コード３ａとその芯線部３ｂを前記隔壁部１０と前記各端子部９との間に挿入できる挿入スペース１４が備えられている。
さらに、前記配電台１の端子部９を固定する部分は、前記電源ケーブル入口部７及び前記電源ケーブル出口部８を結ぶ線よりもやや高く形成され、ジョイントボックス内に水が侵入しても端子部が水に侵浸しない構造となっている。そのため、前記電源コード３ａをジョイントボックスＡの端子部９に接続したとき、電源コード３ａが配電台１の中央部においてやや高く、配電台の両端において低くなる緩やかなカーブを描き端子部９に取り付けられ、低湾曲状態にて配電台１の受部５と配電台カバー２の庇部６とで挟着されるようになっている。
【００２５】
前記各端子部９は前記配電台１に固定され、前記通電コード４と電気的に接続された端子板１１と、該端子板１１との間に前記電源コード３ａの部分的に露出された芯線部３ｂを狭持する挟持板１２と、前記狭持板１２を貫通し前記端子板１１と螺合したねじ部材１３とから構成され、ねじ部材１３を回動して端子板１１と挟持板１２との間隔を広げ、前記電源コード３ａの芯線部３ｂを挿入し端子板１１の上に載せ、その後ねじ部材１３を回動し挟持板１２を下降させ前記電源コードの芯線部３ｂを締め付け固定し電源コード３ａの芯線部３ｂを端子部９に接続できるものである。
【００２６】
前記隔壁部１０は、上部の厚みを薄くした薄肉上方部１０ａが形成され、該薄肉上方部１０ａの下部に前記電源コード３ａの芯線部３ｂを前記端子板上に導くための誘導部１０ｂが備えられ、前記端子部９と隔壁部１０の間に電源コードとその芯線部３ｂを挿入することができる前記挿入スペース１４が形成され、前記ねじ部材１３を前記端子板１１より離脱しない範囲において、前記端子板１１と挟持板１２との間を離間しておけば、電源コードの芯線部３ｂを隔壁部３ｂと前記端子部９との間に挿入できる構造となっている。
前記隔壁部１０の誘導部１０ｂは、前記薄肉上方部１０ａの下部から前記端子板方向に向かって前記隔壁部１０の下部が裾広がりになるように湾曲させ又は傾斜させた形状であり、前記挿入スペース１４に配電台１の上方から電線コード３ａとその芯線部３ｂを落とし込むようにして挿入すると、前記薄肉上方部１０ａ及び前記誘導部１０ｂに沿って下方に誘導され、電源コードの芯線部３ｂは自動的に前記端子部９の端子板上に導かれるようになっている
【００２７】
１５は、回転抑止片であり、前記配電台の前記各端子部９の側部でかつ前記端子部９を介して前記隔壁部１０と向かい合う位置に突設され、前記電源コードの芯線部３ｂを前記端子板１１と前記狭持板１２の間へ挿入する作業時に、前記ねじ部材１３により前記挟持板１２を端子板１１に対し上下動する際、挟持板１２が回転しないように抑制するもので、端子板１１の側部に近接して設けられている。この回転抑制片１５の高さは、前記端子板１１から前記挟持板１２を電源コードの芯線部３ｂがスムーズに入る間隔だけ離間させた場合の挟持板１２の位置と同じか、もしくは若干高くしている。
【００２８】
前記配電台カバー２には、端部に鉤部１６を有する係止片１７が該配電台カバー２の下端部より下方に突出して備えられ、前記配電台１には、前記配電台カバー２の前記配電台１への被嵌時に、前記配電台カバー２の係止片１７を誘導するとともに押し広げる誘導部１８と、該誘導部１８を通過した係止片１７の鉤部１６が嵌合する係支部１９が備えられ、前記配電台カバー２は係止片１７と前記配電台の係支部１９との嵌合により前記配電台に装着され、配電台１と配電台カバー２が一体化したジョイントボックスＡとなるように構成されている。
また、前記配電台カバー２は、上面中央部より上方に突出する照明器具用配電具吊下用の吊下部２０が備えられ、天井２１等から吊り下げ可能となっている。
【００２９】
前記照明器具取付用ソケットＢは、下面が開口し上面が閉塞した円筒状のハウジング２２と、該ハウジング内に取付けられた電球Ｃを螺合されるソケット部２３と、電球Ｃに通電する導電舌片２４とからなり、前記配電台１の前記各端子板１１と接続された２本の前記通電コード４の端部をハウジング２２の上部から挿通し、１本の通電コードをソケット部２３に接続し、他方の通電コードを導電舌片２４に接続され、前記ソケット部２３に電球Ｃ等の照明具を螺合し使用するものである。電球Ｃの吊り下げる位置は、前記通電コード４の長さを変えることにより、所望の位置にもってくることができる。
尚、２５は、ソケット部２３に電球Ｃを螺合した際、ソケット部の下部開口と電球Ｃとの間を塞ぐ防水カバーである。
【００３０】
本考案の照明器具用配電具は上記構成としたので、電源ケーブルの電源コードに照明器具用配電具の取付け作業をする場合、配電台の端子部の挟持板をねじ部材を回動して端子板から電源コードの芯線部が挿入できる間隔だけ離間して接続の準備をし、次に配電台の隔壁部と端子部との間に設けた挿入スペースに、電源コードとその芯線部を配電台の上方から挿入スペースに落とし込むように移動させ、その後薄肉上方部及び誘導部に沿って電源コードとその芯線部を移動させることにより、自動的に配電台の端子部の端子板と挟持板の間に挿入される。芯線部が挿入され端子板の上に載った状態でねじ部材を回動し挟持板を下降させると、挟持板は回転抑止片により回転することなく降下し、やがて挟持板が電源コードの芯線部に当接し、さらに締め付けることにより端子板と挟持板の間に電源コードの芯線部が固定される。そして、配電台の誘導部に配電台カバーの鉤部を有する係止片を合わせ、配電台と配電台カバーを合わせる方向に強く力を加えると、係止片及びその鉤部が誘導部を乗り越え係支部に鉤部が嵌り両者は一体的に結合され、ジョイントボックスと電源ケーブルの接続が完了する。
尚、上記説明は、電源コードを配電台の挿入スペースに落とし込むように挿入して接続する場合であるが、逆に、配電台を手に持って電源コードに近づけ挿入スペースを電源コードとその芯線部が入る位置に持って行き、配電台の隔壁部の
薄肉上方部及び誘導部にを電源コードとその芯線部端子部を接触させるように挿入スペース内を誘導し電源コードの芯線部と配電台の端子部とを取付けることもできる。  
【００３１】
上記のように、挿入スペースが設けてあるので、端子板からねじ部材を離脱させることなく、電源コードの芯線部を端子板と挟持板の間に簡単に導くことができる。また、端子板に載せた電源コードを挟持板をねじ部材で下降させ固定する際、挟持板が回転することなく下降し芯線部を端子板と挟持板との間に締め付け固定できるので、挟持板の回転を防ぐため指先などで挟持板を抑制する必要がなく、ねじ部材を締め付けるだけで端子板と挟持板は適切な位置関係で電源コードを挟み付け固定することができ、端子部への電源コードの取付けが完了した後は、配電台に配電台カバーを被せ両者を強く押し付けることにより配電台と配電台カバーを簡単に一体化することができる。さらに、ジョイントボックスに接続された電源ケーブルの２本の電源コードは、過度に屈曲させることなく直線に近い状態で接続されるので、電源ケーブルに力が加わった場合に配電台の端子部に大きな力が加わることがない。
それ故、電源ケーブルに多数の照明器具用配電具を取付ける作業が極めて効率よく行え、かつ、確実で安全に電源ケーブルと複数の照明器具用配電具を電気的に接続することができる。
【００３２】
以上本考案の実施の形態の一例について説明したが、本考案はこうした実施の形態のものに何等限定されず、本考案の要旨を逸脱しない範囲において種々なる形態で実施しうることは勿論である。
【図面の簡単な説明】
【００３３】
【図１】本考案の照明器具用配電具の正面図である。
【図２】同じく左側面図である。
【図３】同じく使用状態を示す説明図である。
【図４】同じくＸ−Ｘ断面図である。
【図５】本考案の照明器具用配電具の配電台カバーの拡大断面図である。
【図６】電源コードを取付ける前の配電台の拡大断面図である。
【図７】電源コードを誘導し取付ける状態の配電台の拡大断面図である。
【図８】電源コードを取付けた状態の配電台の拡大断面図である。
【図９】本考案の照明器具用配電具の配電台の拡大斜視図である。
【図１０】同じく配電台の拡大平面図である。
【符号の説明】
【００３４】
Ａ    ジョイントボックス
Ｂ    照明器具取付用ソケット
１    配電台
２    配電台カバー２
３    電源ケーブル
３ａ  電源コード
３ｂ  芯線部
４    通電コード
５    受部
６    庇部
７    電源ケーブル入口部
８    電源ケーブル出口部
９    端子部
１０  隔壁部
１０ａ  薄肉上方部
１０ｂ  誘導部
１１  端子板
１２  挟持板
１３  ねじ部材
１４  挿入スペース
１５  回転抑制片
１６  鉤部
１７  係止片
１８  誘導部
１９  係支部
２０  吊下部
２２  ハウジング
２３  ソケット部
【図１】
0003141338.tif 000003
【図２】
0003141338.tif 000004
【図３】
0003141338.tif 000005
【図４】
0003141338.tif 000006
【図５】
0003141338.tif 000007
【図６】
0003141338.tif 000008
【図７】
0003141338.tif 000009
【図８】
0003141338.tif 000010
【図９】
0003141338.tif 000011
【図１０】
0003141338.tif 000012